Podtech/llm-jp-corpus-v4-ja_patent huggingface dataset:
【手続補正書】
【提出日】平成24年2月23日(2012.2.23)
【手続補正１】
【補正対象書類名】特許請求の範囲
【補正対象項目名】全文
【補正方法】変更
【補正の内容】
【特許請求の範囲】
【請求項１】
複合不織布から構成されたフック・ループ型ファスナー用のループ材料であって、
前記複合不織布は、
熱可塑性捲縮ステープルファイバの非結合のカードウェブのループ層であって、前記ステープルファイバは１．５〜６．０ｄＴＥＸであり、前記カードウェブは１０〜３５ｇ／ｍ2の秤量を有する前記ループ層と、
前記ループ層が対面して重ね合わされる基材層であって、５〜３０ｇ／ｍ2の秤量を有するスパンメルト不織布の前記基材層と、
前記ループ層を前記基材層に連結する複数の結合領域と、
から構成され、
前記複合不織布は、１５００ l／ｍ2／秒以下の通気性を有することを特徴とするフック・ループ型ファスナー用のループ材料。
【請求項２】
前記複合不織布が１３００ｌ／ｍ2／秒以下の通気性を有する、請求項１に記載のループ材料。
【請求項３】
前記複合不織布が８００〜１３００ｌ／ｍ2／秒の範囲の通気性を有する、請求項２に記載のループ材料。
【請求項４】
前記複数の結合領域が連続しているか又は不連続なライン形又は波形である、請求項１に記載のループ材料。
【請求項５】
前記複数の結合領域が機械横断方向に延在する、請求項４に記載のループ材料。
【請求項６】
一つの前記結合領域の高さが、前記基材層の高さ未満である、請求項１に記載のループ材料。
【請求項７】
前記複数の結合領域が実質的に非通気性である、請求項１に記載のループ材料。
【請求項８】
一つの前記結合領域の通気性は、実質的に非通気性であり、非結合領域の通気性の５％以下である、請求項７に記載のループ材料。
【請求項９】
複数のループが前記複数の結合領域間の前記ループ層に形成されており、前記ループが前記基材層から実質的に等しい高さまで延在する、請求項１に記載のループ材料。
【請求項１０】
ループ長が前記複数の結合領域間の距離であり、前記ループ長が１〜４ｍｍの範囲である、請求項１に記載のループ材料。
【請求項１１】
複合不織布から構成されたフック・ループ型ファスナー用のループ材料であって、
前記複合不織布は、
ポリプロピレン捲縮ステープルファイバの非結合のカードウェブのループ層であって、前記ステープルファイバは１．５〜６．０ｄＴＥＸであり、前記カードウェブは１０〜３５ｇ／ｍ2の秤量を有する前記ループ層と、
前記ループ層が対面して重ね合わされる基材層であって、５〜３０ｇ／ｍ2の秤量を有するポリプロピレンスパンメルト不織布の前記基材層と、
前記ループ層を前記基材層に連結する複数の結合領域と、
から構成され、
前記複合不織布は、１５００ｌ／ｍ2／秒以下の通気性を有することを特徴とするフック・ループ型ファスナー用のループ材料。
【請求項１２】
前記基材層が１０ｇ／ｍ2と１４ｇ／ｍ2の間の秤量を有する、請求項１１に記載のループ材料。
【請求項１３】
前記基材層が１４ｇ／ｍ2の秤量を有する請求項１１に記載のループ材料。
【請求項１４】
前記複数の結合領域が連続しているか又は不連続なライン型又は波型である、請求項１１に記載のループ材料。
【請求項１５】
前記複数の結合領域が機械横断方向に延在する、請求項１４に記載のループ材料。
【請求項１６】
一つの前記結合領域の高さが、前記基材層の高さ未満である、請求項１１に記載のループ材料。
【請求項１７】
前記複数の結合領域が実質的に非通気性である、請求項１１に記載のループ材料。
【請求項１８】
一つの前記結合領域の通気性は、実質的に非通気性であり、非結合領域の通気性の５％以下である、請求項１７に記載のループ材料。
【請求項１９】
複数のループが前記複数の結合領域間の前記ループ層に形成されており、前記ループが前記基材層から実質的に等しい高さまで延在する、請求項１１に記載のループ材料。
【請求項２０】
ループ長が前記複数の結合領域間の距離であり、前記ループ長が１〜４ｍｍの範囲である、請求項１１に記載のループ材料。
【請求項２１】
複合不織布から構成されたフック・ループ型のファスナー用のループ材料であって、
前記複合不織布は、
熱可塑性捲縮ステープルファイバの非結合のカードウェブのループ層であって、前記ステープルファイバは１．５〜６．０ ｄＴＥＸであり、前記カードウェブは１０〜３５ｇ／ｍ2の秤量を有する前記ループ層と、
前記ループ層が対面して重ね合わされる基材層であって、５〜３０ｇ／ｍ2の秤量を有するスパンメルト不織布の前記基材層と、
前記ループ層を前記基材層に連結する複数の結合領域であって、実質的に非通気性であり、前記ループ材料の表面積の３５〜５５％を含む前記複数の結合領域と、
から構成され、
前記複合不織布は、１５００ l／ｍ2／秒以下の通気性を有することを特徴とするフック・ループ型ファスナー用のループ材料。
【請求項２２】
前記複合不織布が１３００l／ｍ2／秒以下の通気性を有する請求項２１に記載のループ材料。
【請求項２３】
前記複合不織布が８００〜１３００ l／ｍ2／秒の範囲の通気性を有する請求項２２に記載のループ材料。
【請求項２４】
前記複数の結合領域が連続しているか又は不連続なライン型又は波型である、請求項２１に記載のループ材料。
【請求項２５】
前記複数の結合領域が機械横断方向に延在する、請求項２４に記載のループ材料。
【請求項２６】
一つの前記結合領域の高さが、前記基材層の高さ未満である、請求項２１に記載のループ材料。
【請求項２７】
一つの前記結合領域の通気性は、実質的に非通気性であり、非結合領域の通気性の５％以下である、請求項２１に記載のループ材料。
【請求項２８】
複数のループが前記複数の結合領域間の前記ループ層に形成されており、前記ループが前記基材層から実質的に等しい高さまで延在する、請求項２１に記載のループ材料。
【請求項２９】
ループ長が前記複数の結合領域間の距離であり、前記ループ長が１〜４ｍｍの範囲である、請求項２１に記載のループ材料。
【請求項３０】
複合不織布から構成されたフック・ループ型のファスナー用のループ材料であって、
前記複合不織布は、
ポリプロピレン捲縮ステープルファイバの非結合のカードウェブのループ層であって、前記ステープルファイバは１．５〜６．０ ｄＴＥＸであり、前記カードウェブは１０〜３５ｇ／ｍ2の秤量を有する前記ループ層と、
前記ループ層が対面して重ね合わされる基材層であって、５〜３０ｇ／ｍ2の秤量を有するポリプロピレンスパンメルト不織布の前記基材層と、
前記ループ層を前記基材層に連結する複数の結合領域であって、実質的に非通気性であり、前記ループ材料の表面積の３５〜５５％を含み、機械横断方向に延在であり、前記複数の結合領域間の距離が1〜４ｍｍの範囲である前記複数の結合領域と、
から構成され、
前記複合不織布は、１５００ l／ｍ2／秒以下の通気性を有することを特徴とするフック・ループ型ファスナー用のループ材料。
【請求項３１】
前記基材層が１０ｇ／ｍ2と１４ｇ／ｍ2の間の秤量を有する、請求項２１に記載のループ材料。
【請求項３２】
前記基材層が１４ｇ／ｍ2の秤量を有する請求項２１に記載のループ材料。
【手続補正書】
【提出日】平成24年6月11日(2012.6.11)
【手続補正１】
【補正対象書類名】特許請求の範囲
【補正対象項目名】全文
【補正方法】変更
【補正の内容】
【特許請求の範囲】
【請求項１】
処理成分及び担体を含む水処理用組成物であって、前記処理成分は油の形態の液体有機化合物であり、前記担体はワックスを含む固体有機化合物を含む、水処理用組成物。
【請求項２】
ワックスが石油ワックスである、請求項１に記載の水処理用組成物。
【請求項３】
担体が、パラフィンワックス及び微結晶ワックスの少なくとも１つを含む、請求項１又は２に記載の水処理用組成物。
【請求項４】
担体が、脂肪、グリース又はその混合物を更に含む、請求項１から３までのいずれか一項に記載の水処理用組成物。
【請求項５】
ワックスが、長鎖炭化水素並びに／又は長鎖アルコール及び長鎖脂肪酸のエステルの形態で提供される、請求項１〜４のいずれか一項に記載の水処理用組成物。
【請求項６】
処理成分が鉱油の形態で提供される、請求項１〜５のいずれか一項に記載の水処理用組成物。
【請求項７】
前記油がパラフィン油である、請求項１〜６のいずれか一項に記載の水処理用組成物。
【請求項８】
油が、組成物の約０．１重量％から４０重量％を構成する、請求項１から７までのいずれか一項に記載の水処理用組成物。
【請求項９】
処理成分が水中で実質的に不溶である、請求項１〜８のいずれか一項に記載の水処理用組成物。
【請求項１０】
担体が水中で実質的に不溶である、請求項１〜９のいずれか一項に記載の水処理用組成物。
【請求項１１】
担体が、ある容量の水全体に処理成分が拡散するのを実質的に抑止する、請求項１から１０までのいずれか一項に記載の水処理用組成物。
【請求項１２】
処理成分及び担体を含む水処理用組成物を水に添加することを含む水処理の方法であって、前記処理成分は油の形態の液体有機化合物であり、前記担体はワックスを含む固体有機化合物を含む、水処理の方法。
【手続補正書】
【提出日】平成24年4月4日(2012.4.4)
【手続補正１】
【補正対象書類名】特許請求の範囲
【補正対象項目名】全文
【補正方法】変更
【補正の内容】
【特許請求の範囲】
【請求項１】
第１の表面および第２の表面を有する組織壁内に導管装置を移植するためのシステムにおいて、
軸方向に貫通しているガイド開口を画定している外管と、
前記外管の遠位端から延在している取付け装置であって、前記取付け装置の少なくとも一部が前記組織壁の前記第１の表面と前記第２の表面との間に実質的に配置されるように、前記組織壁内を少なくとも部分的に前進するように構成されている、取付け装置と、
前記組織壁の前記第１の表面と前記第２の表面との間に流体連通をもたらすために、前記ガイド開口を貫通するように且つ前記組織壁を少なくとも部分的に貫通するように構成されている内管とを備え、
前記取付け装置は、前記組織壁の少なくとも一部を半径方向内方に前記内管の外面に向かって圧縮するように構成されていることを特徴とするシステム。
【請求項２】
前記取付け装置は、前記組織壁の少なくとも一部を半径方向内方に前記内管の外面に向かって圧縮するように構成され、これによって、前記内管の前記外面と前記組織壁の前記一部との間に実質的に液密のシールをもたらしていることを特徴とする、請求項１に記載のシステム。
【請求項３】
前記取付け装置は、前記組織壁を突き刺すのに適した鋭利な端を備えていることを特徴とする、請求項１に記載のシステム。
【請求項４】
前記取付け装置は、少なくとも１つの螺旋状コイルから構成されていることを特徴とする、請求項１に記載のシステム。
【請求項５】
前記取付け装置は、前記螺旋状コイルが前記外管の前記遠位端から離れて延長するにつれて拡がる半径方向に拡がっている螺旋状コイルから構成されていることを特徴とする、請求項１に記載のシステム。
【請求項６】
前記取付け装置は、複数の螺旋状コイルから構成されていることを特徴とする、請求項１に記載のシステム。
【請求項７】
前記組織壁の前記第１の表面と前記第２の表面との間の流体連通を選択的に閉鎖するために、前記導管装置によって画成された前記開口をカバーするように構成されているキャップをさらに備えていることを特徴とする、請求項１に記載のシステム。
【請求項８】
前記キャップは、再使用可能なポートを備えていることを特徴とする、請求項７に記載のシステム。
【請求項９】
前記外管の外面の周囲に操作可能に係合され、前記組織壁の前記第１の表面に対して配置されるよう構成されているリングをさらに備えていることを特徴とする、請求項１に記載のシステム。
【請求項１０】
前記リングは、心臓の心尖部の前記組織壁の前記第１の表面の少なくとも一部を受け入れるように構成された截頭円錐アセンブリを備え、前記截頭円錐アセンブリと前記心臓の組織壁との間に実質的な液密のシールを形成するようになっていることを特徴とする、請求項９に記載のシステム。
【請求項１１】
前記リングから延在し、前記リングと前記組織壁の前記第１の表面との間を少なくとも部分的にシールするように構成されているシール部材をさらに備えていることを特徴とする、請求項９に記載のシステム。
【請求項１２】
前記装置は、前記組織壁の前記第１の表面と前記第２の表面との間の流体連通を選択的に閉鎖するための弁をさらに備えていることを特徴とする、請求項１に記載のシステム。
【請求項１３】
前記導管装置は、
心尖大動脈導管、
バイパス、
心臓弁の修復または置換、
心室補助装置の取付け、
融除、および
それらの組合せ
からなる群から選択された医学手術用の導管をもたらすように構成されていることを特徴とする、請求項１に記載のシステム。
【請求項１４】
前記導管装置は、
心臓、
膀胱、
胆嚢、
隔膜、
胸腔、
腹腔、
腸管構造、および
盲腸腔
からなる群から選択された解剖的構造における医学手術用の導管をもたらすように構成されていることを特徴とする、請求項１に記載のシステム。
【請求項１５】
前記組織壁を通って前進し、前記組織壁に開口を画定するように構成された芯抜き装置であって、前記組織壁の前記第１の表面と前記第２の表面との間に流体連通をもたらすために、前記内管が前記開口を少なくとも部分的に貫通すべく、前記内管を前記開口内に運ぶようにさらに構成されている、芯抜き装置をさらに備えていることを特徴とする、請求項１に記載のシステム。
【請求項１６】
前記芯抜き装置によって画定された芯抜き孔内において摺動自在に前進および後退することができる突刺しロッドをさらに備えており、前記突刺しロッドは、その遠位端に操作可能に係合され、前記芯抜き装置によって除去された組織芯部を軸方向に保持するように構成され、前記突刺しロッドは、前記組織芯部の除去の前に、前記組織壁を突き刺すために前進するように構成されており、前記突刺しロッドは、前記組織芯部が前記芯抜き装置の近位端を介して回収可能となるように、前記組織芯部の除去の後、後退するようにさらに構成されていることを特徴とする、請求項１５に記載のシステム。
【請求項１７】
心尖部ピアスをシールするためのシステムにおいて、
軸方向に貫通しているガイド開口を画定している外管と、
少なくとも１つの螺旋状コイルを備え且つ前記外管の遠位端から延在している取付け装置であって、前記取付け装置の少なくとも一部が前記組織壁の前記第１の表面と前記第２の表面との間に実質的に配置されて前記心尖部組織において実質的な液密のシールをもたらすべく、心臓の心尖部の前記組織壁内を少なくとも部分的に前進するように構成されている、取付け装置と、
前記ガイド開口を通って前記心臓の前記心尖部内に前記心尖部ピアスを案内するための要素と、を備えていることを特徴とするシステム。
【請求項１８】
前記取付け装置は、前記螺旋状コイルが前記外管の前記遠位端から離れて延長するにつれて拡がる半径方向に拡がっている螺旋状コイルから構成されていることを特徴とする、請求項１７に記載のシステム。
【請求項１９】
心室間修復を可能にすべく、心室アクセスと心臓の心室を介しての連通のための心尖部ポートを固定するように構成されている少なくとも１つの螺旋状コイルを備えていることを特徴とする、心臓の心尖部アクセスと閉鎖のためのシステム。
【請求項２０】
心室間修復後に、前記心尖部ポートを閉鎖するシール部材を提供するようにさらに構成されていることを特徴とする、請求項１９に記載のシステム。
【誤訳訂正書】
【提出日】平成24年7月10日(2012.7.10)
【誤訳訂正１】
【訂正対象書類名】明細書
【訂正対象項目名】０００６
【訂正方法】変更
【訂正の内容】
【０００６】
ストリップの流れ方向に対向する鋭角な１０°≦α≦２０°のスプレー角αで全冷媒をスプレーすることによって、有利なことに、特に、スプレーされる冷媒の全量が、反体方向に流れるストリップによって引き起こされる剪断力を与えられ、この剪断力に依存した、冷媒の乱流場を、ストリップの表面とこれに向かい合うプレートの間のフラットな空間内で形成するために寄与するとの効果が得られる。従来技術とは違って、スプレーされる冷媒の一部だけではなく、全量が、乱流場を生じさせるために寄与するので、本発明は、有利なことに、同じ量の冷媒が、本質的に大きな熱伝導を、即ち、従来技術で可能であったよりも大きな熱量の排出を、可能にし、その点で、本発明の対象は、比較可能な従来技術よりも効率的である。
【誤訳訂正２】
【訂正対象書類名】明細書
【訂正対象項目名】００１５
【訂正方法】変更
【訂正の内容】
【００１５】
選択的に、プレートは、ストリップよりも若干広く、プレートは、その周縁部に、ストリップの流れ方向に対して平行に突出するエッジを備え、これらエッジは、ストリップの周縁部を、作動位置で、できるだけ少ない間隔を置いて包囲する。プレートのこれらのエッジは、同様に、冷媒が周縁領域で非常に迅速に流出し、大きな冷却作用を有しないとの前記の問題と反対に作用する。エッジは、横から流出する水に対向し、冷却装置の良好な冷却能力に寄与する。ストリップの上面側のプレートのエッジと、ストリップの下面側のプレートのエッジが、ストリップの周縁領域でオーバーラップする場合で、特に、その際に、これらエッジの間にシールが更に設けられている場合に、特に効果的に、冷媒の横からの流出が防止される。その場合には、冷媒の横からの流出は、有利なことに完全に遮断さら、冷媒は、圧延方向又は圧延方向とは反対方向にのみ流出可能である。その場合は、冷却作用が特に大きい。
【誤訳訂正３】
【訂正対象書類名】明細書
【訂正対象項目名】００２１
【訂正方法】変更
【訂正の内容】
【００２１】
図１は、冷間ロールスタンド３００の出側を、左に向かって出るストリップ２００と共に示す。ストリップの下に、移行テーブルの形態のプレート５００が配設されている。冷間ロールスタンドから間隔Ｋｍｉｎを置いて、ストリップの流れ方向に対して横に、移行テーブル内に、複数の個々のノズル１１２を有するノズルバー１１０が配設されている。
【誤訳訂正４】
【訂正対象書類名】明細書
【訂正対象項目名】００２２
【訂正方法】変更
【訂正の内容】
【００２２】
図２は、ノズル１１２もしくはノズルバー１１０の移行テーブル５００内での配設を示す。ストリップの流れ方向Ｌとは反対方向にストリップの下面に対して鋭角なスプレー角αで冷媒４００をスプレーするように、ノズルが移行テーブル内に配設されていることが、具体的に認められる。反対の方向Ｌに流れるストリップ２００との接触により、剪断力が、冷媒の粒子に作用し、この剪断力は、冷媒内に、乱流場の形成を生じさせる。乱流場は、ストリップ２００の下面と移行テーブル５００の上面の間のフラットな空間Ｈ内に形成される。このフラットな空間Ｈの高さＳは、一方で、ストリップ２００と移行テーブル５００の直接的な接触を回避するために、それ程小さく選択しなくてもよい。他方で、高さＳは、それ程大きくしなくてもよい。これは、高さが大きくなるほど、所望の冷却能力の実現を可能にするために必要な冷媒の量が多くなるからである。
【誤訳訂正５】
【訂正対象書類名】明細書
【訂正対象項目名】００２４
【訂正方法】変更
【訂正の内容】
【００２４】
本発明による冷却装置の効果及び効率は、ノズルバー１１０の中心のノズル１１２−ｎの方位角βが０°で、ストリップの周縁部の近傍のノズル１１２−１、１１２−Ｎの方位角βが０°ではないように調整することによって、更に改善することができる。具体的には、冷媒が、それぞれ若干ストリップの中心に向かってストリップの下面にスプレーされるように、ストリップの周縁部の近傍のノズルを調整することを、推奨する。ストリップの中心に向かうようにノズルの位置調整をすることによって、有利なことに、これらノズルからスプレーされる冷媒が、できるだけ効果的に乱流場の構成に寄与し、できるだけ少ない、これらノズルから放出される冷媒しか、ストリップの周縁部を超えて、ストリップの流れ方向Ｌに対して横の図１に示した矢印Ｖの方向に、冷却に寄与せずに流出しないようにすることができる。
【手続補正書】
【提出日】平成24年5月29日(2012.5.29)
【手続補正１】
【補正対象書類名】特許請求の範囲
【補正対象項目名】全文
【補正方法】変更
【補正の内容】
【特許請求の範囲】
【請求項１】
周囲形状を画定する離散要素を含む、３次元構造を有する足場を備え、該足場の中がほとんど空であり、該周囲形状は、角膜ポケットに配置されるときに視力矯正を提供するように選択される、角膜インプラント。
【請求項２】
前記周囲形状は、近視を矯正するように前記ポケットに配置されるときに、前記角膜を平らにする、請求項１に記載の角膜インプラント。
【請求項３】
前記周囲形状は、遠視を矯正するように、前記ポケットに配置されるときに、角膜を急勾配にする、請求項１に記載の角膜インプラント。
【請求項４】
前記周囲形状は、遠視を緩和し、乱視を軽減するように、前記ポケットに配置されるときに、角膜中央部を急勾配にし、該角膜の急勾配の軸を平らにする、請求項１に記載の角膜インプラント。
【請求項５】
レンズをさらに備え、前記形状は、前記ポケットに配置されるときに、前記角膜の形状を変化させ、該レンズは、付加的な屈折誤差矯正を提供する、請求項１に記載の角膜インプラント。
【請求項６】
角膜ポケットに配置されるときに、事前選択された視力矯正を提供するように選択される周囲形状を画定する、本体を備え、
該本体は、該本体が０．１ＭＰａから４ＭＰａの範囲の引張強度および０．１ＭＰａから５ＭＰａの範囲の弾性率を有するような材料から成る、
角膜インプラント。
【請求項７】
前記材料は、アクリル共重合体を含む、請求項６に記載の角膜インプラント。
【請求項８】
前記材料は、シリコーンまたはコラーゲンの共重合体を含む、請求項６に記載の角膜インプラント。
【請求項９】
前記周囲形状は、近視を矯正するように、前記ポケットに配置されるときに、角膜を平らにする、請求項６に記載の角膜インプラント。
【請求項１０】
前記周囲形状は、遠視を矯正するように、前記ポケットに配置されるときに、角膜を急勾配にする、請求項６に記載の角膜インプラント。
【請求項１１】
前記周囲形状は、遠視を緩和し、乱視を軽減するように、前記ポケットに配置されるときに、前記角膜中央部を急勾配にし、角膜の急勾配の軸を平らにする、請求項６に記載の角膜インプラント。
【請求項１２】
レンズをさらに備え、前記形状は、前記ポケットに配置されるとき、角膜の形状を変化させ、該レンズは、付加的な屈折誤差矯正を提供する、請求項６に記載の角膜インプラント。
【請求項１３】
前記材料は、金属を含む、請求項６に記載の角膜インプラント。
【請求項１４】
前記金属は、金、チタン、およびニッケルチタン合金から成る群より選択される、請求項１３に記載の角膜インプラント。
【請求項１５】
前記材料は、Ｃｏｎｔａｍａｃ  Ｃ１２６、Ｃ１１８、Ｃ１２１、Ｂｅｎｚ  ＩＯＬ  ２５ＵＶおよびＢｅｎｚｆｌｅｘ  ２６ＵＶから成る材料の群から選択されるヒドロキシエチルメタクリレートとメチルメタクリレートとの共重合体を含む、請求項６に記載の角膜インプラント。
【請求項１６】
少なくとも部分的に縁によって囲まれた突出する中央光学素子を有する本体を備えている角膜インプラントであって、該本体は、０．１ＭＰａから４ＭＰａの範囲の引張強度と、０．１ＭＰａから５ＭＰａの範囲の弾性率とを有する材料から成る、角膜インプラント。
【請求項１７】
中央光学素子が、前記縁から前方に延在する、請求項１６に記載の角膜インプラント。
【請求項１８】
前記中央光学素子が、前記インプラントから後方に延在する、請求項１６に記載の角膜インプラント。
【請求項１９】
前記材料は、アクリル共重合体を含む、請求項１６に記載の角膜インプラント。
【請求項２０】
前記材料は、シリコーンまたはコラーゲンの共重合体を含む、請求項１６に記載の角膜インプラント。
【請求項２１】
前記材料は親水性である、請求項１６に記載の角膜インプラント。
【請求項２２】
前記材料は、Ｃｏｎｔａｍａｃ  Ｃ１２６、Ｃ１１８、Ｃ１２１、Ｂｅｎｚ  ＩＯＬ  ２５ＵＶおよびＢｅｎｚｆｌｅｘ  ２６ＵＶから成る材料の群から選択されるヒドロキシエチルメタクリレートとメチルメタクリレートとの共重合体を含む、請求項１６に記載の角膜インプラント。
【手続補正書】
【提出日】平成23年1月26日(2011.1.26)
【手続補正１】
【補正対象書類名】特許請求の範囲
【補正対象項目名】全文
【補正方法】変更
【補正の内容】
【特許請求の範囲】
【請求項１】
縦長ホーン（２）と、カウンターピース（３）と、２つの圧電駆動部（４、５）と、ネジ（６）とを備えた超音波トランスデューサであって、カウンターピース（３）がネジ（６）を使用してホーン（２）に固定され、その際にトランスデューサの縦軸（７）の両側に配置された圧電駆動部（４、５）がホーン（２）とカウンターピース（３）の間に挟み込まれ、ホーン（２）が、トランスデューサをワイヤーボンダのボンダヘッドに固定するための少なくとも１つの第１の穴（９）を具備したフランジ（８）を備え、２つの圧電駆動部（４、５）に第１の同位相の交流電圧が印加されて第１の超音波振動がトランスデューサの縦軸（７）に対して平行にトランスデューサ内で形成され、２つの圧電駆動部（４、５）に第２の同位相の交流電圧が印加されて第２の超音波振動がトランスデューサの縦軸（７）を横断するようにトランスデューサ内で形成される超音波トランスデューサにおいて、
圧電駆動部（４、５）が第１の超音波振動の第１の節（１３）にあり、
圧電駆動部（４、５）が第２の超音波振動の第１の波腹（１４）にあり、
フランジ（８）が第１の超音波振動の第２の節（１５）にあり、
フランジ（８）が第２の超音波振動の第２の波腹（１６）にあり、
フランジ（８）の少なくとも１つの第１の穴（９）が第２の超音波振動の別の節（１７）にあることを特徴とする超音波トランスデューサ。
【請求項２】
ホーンがキャピラリーを受け入れるための第２の穴（１２）を備え、この第２の穴（１２）が、ホーン先端から測定して、第２の波腹（１８）である、第２の超音波振動の波腹（１８）内に設けられることを特徴とする、請求項１に記載の超音波トランスデューサ。
【請求項３】
ネジ（６）が頭部を備え、第２の超音波振動が、ネジ（６）の頭部と圧電駆動部（４、５）に間にある少なくとも１つの節（１９）を備えていることを特徴とする、請求項１又は２に記載の超音波トランスデューサ。
【請求項４】
第２の超音波振動が、カウンターピース（３）内でカウンターピース（３）の縁付近にある節（２０）を備えていることを特徴とする、請求項１乃至３のいずれか一項に記載の超音波トランスデューサ。
【請求項５】
カウンターピース（３）の幅（Ｂ１）が、トランスデューサの縦軸から圧電駆動部外縁（４、５）までの距離（Ｄ１）より大きいことを特徴とする、請求項１乃至４のいずれか一項に記載の超音波トランスデューサ。
【手続補正書】
【提出日】平成23年3月23日(2011.3.23)
【手続補正１】
【補正対象書類名】特許請求の範囲
【補正対象項目名】全文
【補正方法】変更
【補正の内容】
【特許請求の範囲】
【請求項１】
受け部材の基板にマルチカラー画像を形成する方法であって：
受け部材の基板の物理的特性及び印刷プロセスの特徴に基づいて、カスタムカラープロファイルのデータベースを構築する段階；
クラスター化されたカスタムプロファイルからの受け部材の基板についての物理的特性に基づいて、ユニバーサルカラープロファイルの集合を決定する段階；
前記のユニバーサルカラープロファイルの集合から目的の受け部材の基板に１つのユニバーサルカラープロファイルを割り当てる段階；
前記割り当てられた１つのユニバーサルカラープロファイルを用いてマルチカラートナー画像を形成するように前記受け部材の基板における異なる画素位置に種々の色の組み合わせを形成するトナー顔料の少なくとも３つの異なる色のトナーにより前記受け部材の基板に前記マルチカラートナー画像を形成する段階；
前記形成されたマルチカラートナー画像に関して客観的フィードバック又は主観的フィードバックを与える段階；並びに
客観的フィードバック又は主観的フィードバックに基づいて、前記１つのユニバーサルカラープロファイルを修正する、又は異なるユニバーサルカラープロファイルを選択する段階；
を有する方法。
【請求項２】
請求項１に記載の受け部材の基板にマルチカラー画像を形成する方法であって、前記客観的フィードバックは色測定に基づく、方法。
【請求項３】
請求項２に記載の受け部材の基板にマルチカラー画像を形成する方法であって、前記客観的フィードバックの色測定は限定された数のカラーパッチからの色測定である、方法。
【請求項４】
請求項１に記載の受け部材の基板にマルチカラー画像を形成する方法であって、前記主観的フィードバックは視覚的評価に基づく、方法。
【請求項５】
請求項１に記載の受け部材の基板にマルチカラー画像を形成する方法であって、前記客観的フィードバックの色測定は、限定された数のカラーパッチからの色測定であり、前記主観的フィードバックの視覚的評価は、異なるユニバーサルプロファイルを用いて形成され、ユーザの好みを決定するユーザにより評価されるカラーパッチを有する、方法。
【手続補正書】
【提出日】平成23年3月25日(2011.3.25)
【手続補正１】
【補正対象書類名】特許請求の範囲
【補正対象項目名】全文
【補正方法】変更
【補正の内容】
【特許請求の範囲】
【請求項１】
式
【化１】
2010524916.tif 000001
［式中、ＸはＣＮ、またはＨＣ＝Ｎ−ＯＨ基を表し、かつ炭素炭素二重結合は、立体配置がＥもしくはＺ、またはこれらの混合体である］
の化合物。
【請求項２】
前記化合物が、８０／２０〜９９．５／０．５の範囲にわたる比で、異性体（４Ｚ）と（４Ｅ）との混合物の形態であることを特徴とする、請求項１に記載の化合物。
【請求項３】
（４Ｚ）−４−ドデセンニトリル、または（４Ｚ）−４−ドデセナールオキシムである、請求項２に記載の化合物。
【請求項４】
ｉ）請求項１から３までのいずれか１項に記載された、少なくとも１つの本発明の化合物、
ｉｉ）香料担体と香料基剤とから成る群から選択されている少なくとも１つの成分、および
ｉｉｉ）選択的に、少なくとも１つの香料助剤、
を含む、付香組成物。
【請求項５】
（４Ｚ）−４−ドデセンニトリルとドデシルニトリルを、約８０／２０〜９５／５の範囲にわたるｗ／ｗ比で含むことを特徴とする、請求項４に記載の付香組成物。
【請求項６】
ｉ）付香成分として、請求項１から３までのいずれか１項に記載された少なくとも１つの式（Ｉ）の化合物、および
ｉｉ）消費製品基材
を含む、付香された物品。
【請求項７】
前記消費製品基材が、固体もしくは液体の洗剤、繊維柔軟剤、香水、コロンもしくはアフターシェーブローション、付香された石鹸、シャワーソルトもしくはバスソルト、ムース、オイルもしくはジェル、衛生用品、ヘアケア用品、シャンプー、ボディーケア用品、消臭剤もしくは制汗剤、空気清浄剤、化粧品調製物、繊維消臭剤、アイロン用水、紙、拭き取りクロス、または漂白剤であることを特徴とする、請求項６に記載の付香された物品。
【請求項８】
請求項１から３までのいずれか１項に記載された、式（Ｉ）の化合物の付香成分としての使用。
【手続補正２】
【補正対象書類名】明細書
【補正対象項目名】０００４
【補正方法】変更
【補正の内容】
【０００４】
意外なことに、式
【化１】
2010524916.tif 000002
［式中、ＸはＣＮ、またはＨＣ＝Ｎ−ＯＨ基を表し、かつ炭素炭素二重結合は、立体配置がＥもしくはＺ、またはこれらの混合体である］
の化合物を、付香成分として、例えばマンダリン系の香調を付与するために使用可能なことが判明した。
【手続補正書】
【提出日】平成24年10月26日(2012.10.26)
【手続補正１】
【補正対象書類名】明細書
【補正対象項目名】００１６
【補正方法】変更
【補正の内容】
【００１６】
本発明は更に、２−ヘキシルデカノールと、（Ｒ）−２−ヘキシルデシルブタン酸を除く一般式（Ｉ）：
Ｒ１−ＣＯＯＨ
［式中、Ｒ１は、１〜６個の炭素原子を有する直鎖または分枝の飽和アルキル基であるか、またはＲ１は、プロペニル、ブト−２−エニル、ブト−３−エニル、ブト−１−エニル、１−ペンテニル、２−ペンテニル、３−ペンテニル、４−ペンテニル、１−へキセニル、２−へキセニル、３−へキセニル、４−へキセニル、５−へキセニルからなる群から選択される。］
で示される脂肪酸とのエステルを提供する。
【手続補正２】
【補正対象書類名】特許請求の範囲
【補正対象項目名】全文
【補正方法】変更
【補正の内容】
【特許請求の範囲】
【請求項１】
２−ヘキシルデカノールと一般式（Ｉ）：
Ｒ１−ＣＯＯＨ
［式中、Ｒ１は、１〜６個の炭素原子を有する直鎖または分枝の飽和または不飽和アルキル基である。］
で示される脂肪酸との１種以上のエステルの、化粧品および／または医薬品の製造におけるおよび／または製造のための使用。
【請求項２】
油体としての請求項１に記載の使用。
【請求項３】
２−ヘキシルデカノールと、（Ｒ）−２−ヘキシルデシルブタン酸を除く一般式（Ｉ）：
Ｒ１−ＣＯＯＨ
［式中、Ｒ１は、１〜６個の炭素原子を有する直鎖または分枝の飽和アルキル基であるか、またはＲ１は、プロペニル、ブト−２−エニル、ブト−３−エニル、ブト−１−エニル、１−ペンテニル、２−ペンテニル、３−ペンテニル、４−ペンテニル、１−へキセニル、２−へキセニル、３−へキセニル、４−へキセニル、５−へキセニルからなる群から選択される。］
で示される脂肪酸とのエステル。
【請求項４】
２−ヘキシルデシル酢酸エステル、２−ヘキシルデシルプロパン酸エステル、２−ヘキシルデシルペンタン酸エステル、２−ヘキシルデシルヘキサン酸エステルおよび２−ヘキシルデシルヘプタン酸エステルからなる群から選択される請求項３に記載のエステル。
【手続補正書】
【提出日】平成23年4月16日(2011.4.16)
【手続補正１】
【補正対象書類名】明細書
【補正対象項目名】０００５
【補正方法】変更
【補正の内容】
【０００５】
超音波造影剤は、心臓内輪郭及び腫瘤をより良く規定するために、組織灌流を評価するために、及び（肝臓内などの）実質腫瘤を評価するために開発された。これらの造影剤は、タンパク質、脂質或いは生体適合性ポリマーで被包されたマイクロバブル或いはナノ−スケール（１ミクロン直径以下）で満たされた空気或いはガスから成る。
さらに、組織炎症は、活性化白血球によって保持されたマイクロバブルの超音波画像によって非侵襲的に評価できることも実証された（Ｌｉｎｄｎｅｒ  ｅｔ  ａｌ．（２０００）  Ｃｉｒｃｕｌａｔｉｏｎ  １０２：５３１−５３８；Ｌｉｎｄｎｅｒ  ｅｔ  ａｌ．（２０００）  Ｃｉｒｃｕｌａｔｉｏｎ  １０２：２７４５−２７５０）。アルブミン及び脂質マイクロバブルは、細静脈内皮へ接着している白血球へ付着し、数分以内に無傷で貪食される（Ｌｉｎｄｎｅｒ  ｅｔ  ａｌ．（２０００）Ｃｉｒｃｕｌａｔｉｏｎ  １０２：５３１−５３８；Ｌｉｎｄｎｅｒ  ｅｔ  ａｌ．（２０００）Ｃｉｒｃｕｌａｔｉｏｎ  １０２：２７４５−２７５０；Ｌｉｎｄｎｅｒ  ｅｔ  ａｌ．（２０００）Ｃｉｒｃｕｌａｔｉｏｎ  １０１：６６８−６７５）。しかしながら、保持されたマイクロバブルの割合が少ない、及び一度貪食されたマイクロバブルの粘弾性減衰のために、これらマイクロバブルからの超音波シグナルは相対的に低エコーとなる。このシグナルは、活性化白血球に対するマイクロバブル結合活性を増強するマイクロバブルシェルにおける特定の脂質部位の取り込みによって増強される（Ｌｉｎｄｎｅｒ  ｅｔ  ａｌ．（２０００）Ｃｉｒｃｕｌａｔｉｏｎ  １０２：２７４５−２７５０）。
微小血管炎症反応を評価するためのより直接的な方法は、マイクロバブルシェルへ特定の内皮細胞接着分子に対するリガンドを共役させることによって可能である（Ｖｉｌｌａｎｕｅｖａ  ｅｔ  ａｌ．（１９９８）Ｃｉｒｃｕｌａｔｉｏｎ  ９８：１−５）。この戦略の有望な利点には、大量のマイクロバブルが保持される、前記マイクロバブルが細胞外に保持されるため超音波減衰が少ない、及び特定の接着分子の発現を定量化する能力を有するということである。
この出願の発明に関連する先行技術文献情報としては、以下のものがある（国際出願日以降国際段階で引用された文献及び他国に国内移行した際に引用された文献を含む）。
【先行技術文献】  
【特許文献】
【手続補正２】
【補正対象書類名】明細書
【補正対象項目名】０００６
【補正方法】変更
【補正の内容】
【０００６】
【特許文献１】  米国特許出願公開第２００２／００５４８５２号明細書
【非特許文献】
【手続補正３】
【補正対象書類名】明細書
【補正対象項目名】０００７
【補正方法】変更
【補正の内容】
【０００７】
【非特許文献１】  ＦＲＩＪＮＳ，Ｃ．Ｊ．ｅｔ  ａｌ．Ｉｎｆｌａｍｍａｔｏｒｙ  ｃｅｌｌ  ａｄｈｅｓｉｏｎ  ｍｏｌｅｃｕｌｅｓ  ｉｎ  Ｉｓｃｈｅｍｉｃ  ｃｅｒｅｂｒｏｖａｓｃｕｌａｒ  ｄｉｓｅａｓｅ．Ｓｔｒｏｋｅ．Ａｕｇｕｓｔ  ２００２（０８．２００２），Ｖｏｌ．３３，Ｎｏ．８，ｐａｇｅｓ  ２１１５−２１１２；ｐｇ  ２１１７，ｐａｒａ  ４．
【非特許文献２】  ＲＯＭＯ，Ｇ．Ｍ．ｅｔ  ａｌ．Ｔｈｅ  ｇｌｙｃｏｐｒｏｔｅｉｎ  Ｉｂ−ＩＸ−Ｖ  ｃｏｍｐｌｅｘ  ｉｓ  ａ  ｐｌａｔｅｌｅｔ  ｃｏｕｎｔｅｒｒｅｃｅｐｔｏｒ  ｆｏｒ  Ｐ−ｓｅｌｅｃｔｉｎ．Ｊ．Ｅｘｐ．Ｍｅｄ．２０  Ｓｅｐｔｅｍｂｅｒ  １９９９（２０．０９．１９９９），Ｖｏｌ．１９０，Ｎｏ．６，ｐａｇｅｓ  ８０３−８１４；ａｂｓｔｒａｃｔ．
【非特許文献３】  ＲＡＭＡＣＨＡＮＤＲＡＮ，Ｖ．ｅｔ．ａｌ．  Ｄｌｍｅｒｉｚａｔｉｏｎ  ｏｆ  ａ  ｓｅｌｅｃｔｉｎ  ａｎｄ  ｉｔｓ  ｌｉｇａｎｄ  ｓｔａｂｉｌｉｚｅｓ  ｃｅｌｌ  ｒｏｌｌｉｎｇ  ａｎｄ  ｅｎｈａｎｃｅｓ  ｔｅｔｈｅｒ  ｓｔｒｅｎｇｔｈ  ｉｎ  ｓｈｅａｒ．Ｐｒｏｃ．Ｎａｔｌ．Ａｃａｄ．Ｓｃｉ．ＵＳＡ．２８  Ａｕｇｕｓｔ  ２００１（２８．０８．２００１），Ｖｏｌ．９８，Ｎｏ．１８，ｐａｇｅｓ  １０１６６−１０１７１；ａｂｓｔｒａｃｔ．
【非特許文献４】  ＭＡＳＳＢＥＲＧ，Ｓ．ｅｔ  ａｌ．Ｓｏｌｕｂｌｅ  ｇｌｙｃｏｐｒｏｔｅｉｎ  ＶＩ  ｄｉｍｅｒ  Ｉｎｈｉｂｉｔｓ  ｐｌａｔｅｌｅｔ  ａｄｈｅｓｉｏｎ  ａｎｄ  ａｇｇｒｅｇａｔｉｏｎ  ｔｏ  ｔｈｅ  ｉｎｊｕｒｅｄ  ｖａｓｓｅｌ  ｗａｌｌ．  ＦＡＳＥＢ  Ｊ．  Ｆｅｂｒｕａｒｙ  ２００４（０２．２００４），Ｖｏｌ．１８，Ｎｏ．２，ｐａｇｅｓ  ３９７−３９９；ａｂｓｔｒａｃｔ．
【発明の概要】
【課題を解決するための手段】
【手続補正書】
【提出日】平成24年5月16日(2012.5.16)
【手続補正１】
【補正対象書類名】特許請求の範囲
【補正対象項目名】全文
【補正方法】変更
【補正の内容】
【特許請求の範囲】
【請求項１】
基部および複数のチャネルを含む、柔軟把持フードを備える把持器であって、
前記基部は、第一中央開口部の周囲に形成され、柔軟リップによって取り囲まれた所定の形状を有し、当該柔軟リップは、当該基部の周囲に広がっているとともに、外周枠の下側に広がっており、
複数のチャネルは、前記第一中央開口部および前記柔軟リップの下から、前記外周枠から所定の間隔で、外側に向かって通じているとともに、当該柔軟リップおよび前記外周枠は、前記柔軟把持フードおよび加工中製品の間に圧力の違いが生じたときに、当該加工中製品に従う順応性を有し、
前記柔軟把持フードの基部に取り付けられ、第二中央開口部を有するリップ基部と、
第一および第二中央開口部を貫通する真空ラインと、
それぞれ一つの前記チャネルに取り付けられることによって前記柔軟把持フードに貼り付けられており、近接側および先端側の末端をそれぞれ有する、複数のチャネルフィンガーと、
それによる適用があれば、前記第一中央開口部を通じて最初に吸引力が加えられ、前記吸引力が前記チャネルフィンガーを通じて導かれた後に、前記加工中製品の位置を前記第一中央開口部へ移動させ、その結果、前記柔軟把持フードの前記外周枠に近接する複数のポイントで吸引把持を可能とするとともに、前記柔軟把持フードを、前記加工中製品の表面について変形するようにさせる、
把持器。
【請求項２】
前記チャネルフィンガーは、前記チャネルの中へ一体的に密着している、請求項１の把持器。
【請求項３】
前記外周枠の下側に広がる前記柔軟把持フードは、所定の変形プロファイルを実現する、一般的な余弦形状カーブに従うものである、請求項２に記載の把持器。
【請求項４】
請求項１ないし３のいずれか１項に記載の把持器を備える真空把持装置であって、
前記把持器が接続され、ツール中央ポイントを有するロボットアームと、
前記第一および第二中央開口部を通じて前記チャネルフィンガーの近接側末端に連通する少なくとも一つの真空ホースであって、真空源に接続され、かつ、第一中央開口部に近接する前記柔軟把持フード内の吸引力を提供するとともに、前記チャネルフィンガーの先端側の末端へ当該真空ホースを通じて吸引力を提供し、それにより、前記柔軟把持フードの前記外周枠に近接する複数のポイントで吸引把持を可能とする、真空ホースとを有する、真空把持装置。
【請求項５】
保持力が所定のレベル以下に下がると応答するために、前記吸引力を監視するセンサを備えている、請求項４に記載の真空把持装置。
【請求項６】
前記真空ホースにおいて真空力のレベルを制御するバルブをさらに備えている、請求項５に記載の真空把持装置。
【請求項７】
ロボットアーム位置合わせ情報を提供する光学システムであって、
加工中製品を照明する光源と、
前記光源からの光を反射するとともに、その結果、前記加工中製品を照明するための、少なくとも１つの分割されたミラーのリングと、
前記加工中製品における所定の画像情報を記録するための対物レンズを有するカメラと、
を備えている光学システムをさらに備えている、光学システム。
【請求項８】
前記光源が、複数の発光ダイオードである、請求項７に記載の光学システム。
【請求項９】
前記光源は、所定の波長のスペクトルを有している、請求項７に記載の光学システム。
【請求項１０】
前記ミラーは、破損または腐食に対して抵抗性を有している、請求項７に記載の光学システム。
【請求項１１】
前記カメラによって撮られた画像を格納するメモリをさらに備えている、請求項７に記載の光学システム。
【請求項１２】
前記光源は、前記加工中製品の画像を撮るカメラを許可する前記ミラーを通じて、前記加工中製品を照明し、不規則な加工中製品の幾何学的特徴は、前記画像から抽出されるとともに、類似の特徴および所定の把持オフセット位置を有する、予め定義された幾何学的モデルと比較され、それによって、前記ロボットアームは、所定のオフセット位置に対して前記把持器を整列させるために、方向を合わせられている、請求項７に記載の光学システム。
【手続補正書】
【提出日】平成24年6月27日(2012.6.27)
【手続補正１】
【補正対象書類名】特許請求の範囲
【補正対象項目名】全文
【補正方法】変更
【補正の内容】
【特許請求の範囲】
【請求項１】
内部に複数の磁区を有する強磁性材料から形成された伸長トラックをそれぞれが備える、複数の共面シフト・レジスタ構造であって、さらに前記共面シフト・レジスタ構造が磁壁の配置を容易にするために内部に複数の不連続部を有する、複数の共面シフト・レジスタ構造と、
それぞれの前記共面シフト・レジスタ構造に関連付けられた磁気読み取り要素と、
それぞれの前記共面シフト・レジスタ構造に関連付けられた磁気書き込み要素であって、さらに前記磁気書き込み要素がそれぞれの前記共面シフト・レジスタ構造の縦軸とほぼ直交する縦軸を有する単一の書き込みワイヤを備える、磁気書き込み要素と、
を備え、
それぞれの前記共面シフト・レジスタ構造に関連付けられた複数のシフト電流ワイヤをさらに備え、
前記複数のシフト電流ワイヤは、未選択のシフト・レジスタに対応する前記シフト電流ワイヤが、選択されたシフト・レジスタを通過するシフト電流用の電流リターン・パスとして動作するように構成され、前記電流リターン・パスは、前記シフト電流の方向に対して反対方向であることを特徴とする、書き込み／読み取り機能を備えた磁壁メモリ装置。
【請求項２】
それぞれの共面シフト・レジスタ構造の端部が互いに整列された、請求項１に記載の磁壁メモリ装置。
【請求項３】
前記書き込みワイヤが内部に複数のくびれを含み、前記くびれが、それぞれの前記関連付けられた共面シフト・レジスタ構造内の前記複数の不連続部のうちの１つの位置に対応するポイントに配置された、請求項２に記載の磁壁メモリ装置。
【請求項４】
前記書き込みワイヤが前記共面シフト・レジスタ構造の第１の端部近くに配置され、各読み取り要素がその第２の端部近くに配置され、
最端部にある前記読み取り要素がほぼ直線状であり、残りの前記読み取り要素がほぼＬ字型である、
請求項１〜３のいずれか１項に記載の磁壁メモリ装置。
【請求項５】
前記磁気読み取り要素各々が磁気トンネル接合（ＭＴＪ）を備える、請求項１〜４のいずれか１項に記載の磁壁メモリ装置。
【請求項６】
各トラック内の前記複数の不連続部が、前記強磁性材料内に形成された複数の垂直ノッチによって画定される、請求項１〜５のいずれか１項に記載の磁壁メモリ装置。
【請求項７】
各トラック内の前記複数の不連続部が、磁気セグメントの物理的な重複によって画定される、請求項１〜６のいずれか１項に記載の磁壁メモリ装置。
【請求項８】
各トラック内の前記複数の不連続部が、前記トラック内で交互タイプの磁性材料を使用することによって画定される、請求項１〜７のいずれか１項に記載の磁壁メモリ装置。
【請求項９】
書き込み／読み取り機能を備えた磁壁メモリ装置を形成するための方法であって、前記方法は、
内部に複数の磁区を有する強磁性材料から形成された伸長トラックをそれぞれが備える、複数の共面シフト・レジスタ構造であって、前記共面シフト・レジスタ構造が磁壁の配置を容易にするために内部に複数の不連続部を有する、複数の共面シフト・レジスタ構造を形成する工程と、
それぞれの前記共面シフト・レジスタ構造に関連付けられた磁気読み取り要素を形成する工程と、
それぞれの前記共面シフト・レジスタ構造に関連付けられた磁気書き込み要素であって、前記磁気書き込み要素がさらに内部にくびれを有する書き込みワイヤを備え、前記くびれが、前記関連付けられた共面シフト・レジスタ構造内の前記複数の不連続部のうちの１つの位置に対応するポイントに配置されている、磁気書き込み要素を形成する工程と、
それぞれの前記共面シフト・レジスタ構造に関連付けられた複数のシフト電流ワイヤを形成する工程と
を含み、前記複数のシフト電流ワイヤが、未選択のシフト・レジスタに対応する前記シフト電流ワイヤが、選択されたシフト・レジスタを通過するシフト電流用の電流リターン・パスとして動作するように構成され、前記電流リターン・パスが前記シフト電流の方向に対して反対方向であることを特徴とする、方法。
【請求項１０】
前記共面シフト・レジスタ構造を形成する工程が、
強磁性自由層、前記強磁性自由層上にトンネル・バリア層、前記トンネル・バリア層上にピン留め層、および前記ピン留め層上にキャップ層を、形成する工程と、
前記磁気読み取り要素に対応する位置で前記キャップ層およびピン留め層をリソグラフでパターン化およびエッチングする工程と、
前記トンネル・バリア層と、前記キャップ層およびピン留め層のパターン化部分との上に、カプセル化層を形成する工程と、
それぞれの共面シフト・レジスタ構造の前記伸長トラックを画定するために、前記カプセル化層、トンネル・バリア層、および自由強磁性層をリソグラフでパターン化およびエッチングする工程と、
をさらに含む、請求項９に記載の方法。
【請求項１１】
前記不連続部を画定するために、前記伸長トラック内に複数の垂直ノッチを形成する工程をさらに含む、請求項９または１０に記載の方法。
【請求項１２】
前記共面シフト・レジスタ構造の前記伸長トラックおよび前記磁気読み取り要素の上に、中間誘電層を形成する工程と、
前記磁気読み取り要素と前記伸長トラックの第１および第２の端部との頂部に接触するように、前記中間誘電層内に複数のバイアを形成する工程と、
前記伸長トラックの第１および第２の端部の前記頂部にある前記バイアと接触するように、前記中間誘電層内にシフト電流配線溝を形成し、前記磁気読み取り要素の前記頂部にある前記バイアと接触するように、前記中間誘電層内に読み取りワイヤ溝を形成する工程と、
シフト電流ワイヤおよび読み取りワイヤを画定するように、前記シフト電流配線溝および読み取りワイヤ溝を導電性金属で充填する工程と、
をさらに含む、請求項１１に記載の方法。
【請求項１３】
前記磁気書き込み要素を形成する工程が、
半導体デバイスのシリコンＣＭＯＳレベル上に中間誘電層を形成する工程と、
前記誘電層内に複数の書き込みワイヤを形成する工程であって、前記書き込みワイヤが、前記共面シフト・レジスタ構造の前記伸長トラックに対して通常は垂直の方向にトラバースする、書き込みワイヤを形成する工程と、
をさらに含み、
１本の書き込みワイヤ内のくびれが、他の書き込みワイヤの隣接するくびれに対して前記書き込みワイヤの前記方向に沿って線形にオフセットされる、
請求項９〜１２のいずれか１項に記載の方法。
【請求項１４】
前記書き込みワイヤを前記シリコンＣＭＯＳレベルに接続する、複数のバイアを形成する工程と、
前記書き込みワイヤの頂面上に薄誘電キャップを形成する工程と、
をさらに含む、請求項１３に記載の方法。
【手続補正書】
【提出日】平成23年2月1日(2011.2.1)
【手続補正１】
【補正対象書類名】特許請求の範囲
【補正対象項目名】全文
【補正方法】変更
【補正の内容】
【特許請求の範囲】
【請求項１】
撮像出力信号に基づき光景についての出力画像を生成する電子カメラであって、
第１センサ出力をもたらす第１イメージセンサ及びその第１イメージセンサ上に光景の第１画像を発現させる第１レンズを有する第１撮像部と、
第２センサ出力をもたらす第２イメージセンサ、及び第１レンズとは異なる焦点距離で光景を捉え第２イメージセンサ上に光景の第２画像を発現させる第２レンズを有する第２撮像部と、
第１及び第２センサ出力のうち一方を撮像出力信号として選定する一方、光景内諸点までの距離を指し示す距離マップを第１及び第２センサ出力双方に基づき生成する処理部と、
を備える電子カメラ。
【請求項２】
請求項１記載の電子カメラであって、その処理部が、第１及び第２画像を互いに関連付けることで画像内諸部分について画像間の画素オフセットを導出し、それらの画素オフセットを本電子カメラからの距離へと換算し、そして画像内諸部分までの距離を指し示す距離マップを生成する電子カメラ。
【請求項３】
第１撮像部内の第１イメージセンサから光景の第１画像を示す出力を得るステップと、
第２撮像部内の第２イメージセンサからその光景を第１画像とは異なる画角で捉えた第２画像を示す出力を得るステップと、
第１及び第２画像のうち一方を出力画像として選定するステップと、
光景内諸点までの距離を指し示す距離マップを第１及び第２撮像部双方の出力に基づき生成するステップと、
を有し、撮像部を２個備える電子カメラを使用し出力画像を得る一方でそのセンサ出力からその光景についての距離マップを生成する方法。
【手続補正書】
【提出日】平成23年3月9日(2011.3.9)
【手続補正１】
【補正対象書類名】特許請求の範囲
【補正対象項目名】全文
【補正方法】変更
【補正の内容】
【特許請求の範囲】
【請求項１】
第２の携帯可能な通信装置と通信するための第１の携帯可能な通信装置であって、
ａ）ビデオおよびオーディオ情報を送信および受信するための通信モジュールと、
ｂ）電子ディスプレイと、
ｃ）第１のシーンの画像を捕捉するための第１の画像捕捉装置と、
ｄ）第１のシーンとは異なる第２のシーンの画像を捕捉するための第２の画像捕捉装置と、
ｅ）第１もしくは第２のシーンの画像又はこれらの組み合わせを第２の携帯可能な通信装置に送信するためのユーザーコマンドに応答する手段、
を含む第１の携帯可能な通信装置。
【請求項２】
ユーザーからのオーディオ情報を受信し、当該オーディオ情報を、画像が送信される際に送信するためのマイクロフォンをさらに含む、請求項１に記載の第１の携帯可能な通信装置。
【請求項３】
ユーザーコマンドが、電子ディスプレイ上に第１のシーンの画像を表示するため、および、複合画像を送信するのに先立って第２のシーンと組み合わせるべきかかる画像の部分を選択するための手段をさらに含む、請求項１または２に記載の第１の携帯可能な通信装置。
【請求項４】
第１の携帯可能な通信装置が、第２の携帯可能な通信装置からのビデオ画像を受信して表示するため、および第２の携帯可能な通信装置から受信したオーディオを受信して再生するための手段をさらに含む、請求項１〜３のいずれか一項に記載の第１の携帯可能な通信装置。
【請求項５】
オーディオ信号を形成するために第１のシーンに隣接して位置する第１のマイクロフォンと第２のシーンに隣接して位置する第２のマイクロフォンとをさらに含み、さらに、各マイクロフォンからのオーディオ信号を選択するか若しくは組み合わせるか又は第１のマイクロフォンからのオーディオ信号から第２のマイクロフォンからのオーディオ信号を差し引く手段を含むことによって、（１）第１のマイクロフォンからのオーディオ信号、（２）第２のマイクロフォンからのオーディオ信号、（３）第１のマイクロフォンからのオーディオ信号と第２のマイクロフォンからのオーディオ信号の組み合わせ、および（４）第１のマイクロフォンからのオーディオ信号と第２のマイクロフォンからのオーディオ信号との間のオーディオ信号の差からなる群から選ばれるオーディオ信号を送信することができる、請求項１〜４のいずれか一項に記載の第１の携帯可能な通信装置。